(57)【要約】      （修正有）【課題】ブロックの特定が符合・数値化でき、正確な緯度経度値の読み取りが可能となり、更にＧＰＳ等の数値データを地図上に正確に落とすことが出来る、より使いやすい検索地図を提供する。【解決手段】透明樹脂に透過性インクを用い第一所定間隔の緯度線及び第二所定間隔の経度線と第一所定間隔を等分する第三所定間隔で複数の横線及び、第二所定間隔を等分する第四所定間隔で縦線が複数描かれることにより、互いに区分された複数のブロックに固有の符号を記載する。更に第三所定間隔を等分する第五所定間隔で緯度目盛を設け、また第四所定間隔を等分する第六所定間隔で経度目盛を設け、更に第一所定間隔の横線と第二所定間隔の縦線との交点に小さな穴を施したナビゲーションシートにする。使用する場合は、地形図の緯度経度線に本シートを重ね合わせ仮り止めし、電子コピーで作成する。【選択図】図２
0003137921.tif 000002
【実用新案登録請求の範囲】
【請求項１】
第一所定間隔で緯度線及び第二所定間隔で経度線が描かれた地図と、前記第一所定間隔より細かく、かつ第一所定間隔を等分する第三所定間隔で複数の横線及び第二所定間隔を等分する第四所定間隔で縦線が複数描かれていることにより互いに区分された複数のブロックが形成されており、前記各ブロックに固有の符号が記載されている透明なナビゲーションシートとの組み合わせ。
【請求項２】
第三所定間隔を等分する第五所定間隔で緯度目盛を設け、また第四所定間隔を等分する弟六所定間隔で経度目盛を設けたことを特徴とする請求項１記載の地図とナビゲーションシートの組み合わせ。
【請求項３】
前記第一所定区分の横線と第二所定区分縦線の交点に小さな穴をナビゲーションシートに形成したことを特徴とする請求項１に記載の地図とナビゲーションシートの組み合わせ。
【請求項４】
前記ブロックの広さに相当する面積がナビゲーションシートに記載されていることを特徴とする請求項1に記載の地図とナビゲーションシートの組み合わせ。
【考案の詳細な説明】
【技術分野】
【０００１】
消防・警察等の災害救助・捜索活動際、地図をベースにして活動区域を絞り込む際の地図を作成することに関する。
【背景技術】
【０００２】
地図に現在位置を求めるため地図上へ載せて位置を確認できるシートが知られている。(特許文献1参照)
【０００３】
【特許文献１】特開２００６−７９０３７
【０００４】
山中で遭難が発生した場合、対策本部では、通常複数の救助隊を構成する。各救助隊は重複した捜索を行われないように捜索地区をブロック毎に分割して捜索するための捜索地図を上記のシートを用いてコピーで作成し、現地と本部との交信に使われていた。
【考案の開示】
【考案が解決しようとする課題】
【０００５】
捜索ブロックの指示や現場から報告には、ブロック毎の符号が必要であり、コピーして出来た検索地図にブロック符号を書き込んで対処していた。このようにして出来た検索地図を現場で使用する場合も緯度経度と関連がないため、地図上のブロック位置を出すことができず、重複捜索もあった。
【０００６】
本考案は、地図単独ではできなかったところの、ブロックの特定が符合・数値できるとともに、正確な緯度経度値の読み取りが可能となり、更にＧＰＳ等の数値データを地図上に正確に落とせることが出来る等の災害救助活動に必要な地図に変え、より使いやすい検索地図にすることを提案する。
【課題を解決するための手段】
【０００７】
本考案の地図とナビゲーションシートの組み合わせは、第一所定間隔で緯度線及び第二所定間隔で経度線が描かれた地図と、前記第一所定間隔より細かく、かつ第一所定間隔を等分する第三所定間隔で複数の横線及び第二所定間隔を等分する第四所定間隔で縦線が複数描かれていることにより互いに区分された複数のブロックが形成されており、前記各ブロックに固有の符号が記載されていることを特徴とする。
【０００８】
更に、第三所定間隔を等分する第五所定間隔で緯度目盛を設け、また第四所定間隔を等分する弟六所定間隔で経度目盛を設けたことを特徴とする。
また、前記第一所定区分の横線と第二所定区分縦線の交点に小さな穴をナビゲーションシートに形成したことを特徴とする。
また、前記ブロックの広さに相当する面積がナビゲーションシートに記載されていることを特徴とする。
【考案の効果】
【０００９】
従来の地図からはできなかった、ブロックの特定を符号、数値でできるため、緊急時の位置特定が容易になり、正しく伝えることができる。又、この検索地図から正確な緯度経度値の読み取れ、ＧＰＳ等の数値データを地図上に正確に落とせる等の効果があり、現在居る場所が地図上何処に居るかの確認が可能となるため、二次災害の防止にも繋がると共に捜索活動の重複の防止、遺留品発見場所の特定等現場と対策本部や捜索、救助用ヘリコプターとの確実な位置交信ができるので、一般地形図を災害救助活動に必要な検索地図に変えることができる。
【考案を実施するための最良の形態】
【００１０】
本考案を図に基づいて説明する。図２に示す国土地理院発行１／２５０００地形図１７に第一所定間隔を緯度線１分間隔イ、ロ、ハで描き、更に第二所定間隔を経度線１分間隔ニ、ホ、ヘで描く。
【００１１】
図１は透明樹脂シートで作られたナビゲーションシート1である。第一所定間隔を緯度線１分間隔で横線２、3、４を描き、これを緯度１０秒間隔で６等分に分割した横線を第三所定間隔１３とする。更に第三所定間隔を緯度２秒間隔で５等分した目盛を第五所定間隔１２とする。また、第二所定間隔を経度1分線の縦線６，７，８で描き更に、これを経度１０秒間隔で６等分に分割した縦線を第四所定間隔１４とする。更に第四所定間隔を経度２秒間隔で５等分した目盛を第六所定間隔１１とする。
【００１２】
第一所定間隔1分緯度線２、３,４と第二所定間隔１分経度線６,７、８で囲まれた４つの大ブロックに、Ａ・Ｂ・Ｃ・Ｄの符号９をつける。
【００１３】
第一所定間隔１分緯度線３と第二所定間隔１分経度線７との交点の一つに小さな穴１０を施す。
【００１４】
第一所定間隔1分緯度線２、３、４に第六所定目盛１１を施し、第二所定間隔１分経度線６、７、８に第五所定間隔目盛１２を施す。
【００１５】
第三所定間隔１０秒緯度線１３と第四所定間隔１０秒経度線１４で形成される１４４の小ブロックに１から１４４の符号１５をつける。
【００１６】
小ブロックの広さに相当する面積５と縮尺目盛１６を記載しナビゲーションシート１が完成する。
【００１７】
ナビゲーションシートは１分の経度間隔が北と南では違うため、都府県ごとの平均経度間隔を使用することで最大誤差を１mm以内することができる。ただし北海道は、道北・道央・道南の３区域に分けることで、最大誤差を1mm以内にすることができる。
図１は、栃木県用に作成したナビゲーションシートである。栃木県の最北は北緯３7度０９分０７秒で、この位置での第二所定間隔経度１分幅は、５９．２２mmであり、最南は北緯３６度１１分４８秒でこの位置での第二所定間隔経度１分幅は５９．９５mmである。その差が０．７３mmである。そこで最小の誤差とするため、平均値５９．５８mmとしたので最大誤差は５９．９５mm−５９．５８mm＝０．３７mmとなる。尚、第一所定間隔緯度１分幅は変化が少なく北の北海道で７４．０８mmに対し南の沖縄で７３．８６mmであり、その差０．２４mmであるため、地図検索に支障とならない誤差であることから、栃木県の所在東経１３９度付近は７３．９７mmとした。
【００１８】
図２は本考案ナビゲーションシートの緯度線３と経度線７を地図の緯度ロ(５７分)と経度線ホ(１３分)に重ね合わせ,セロハンテープ等で仮り止めし、電子コピー機で複製してできた検索地図である。
【００１９】
仮に検索地図中心付近の捜索活動が必要な場合、本部と現場班とヘリコプター隊への指示は、第１班は、６５、６６、６７ブロック、第２班は、７７、７８、７９ブロック第３班は６８、８０ブロックのように番号だけで指示できる。
【００２０】
現場では、現在地を携帯ＧＰＳで緯度経度値を得て、検索地図の１分緯度経度目盛から地図上の現在位置を読み取って確認することにより、重複捜索の防止がはかれる。現場班とヘリコプター班との交信もブロック番号で行われ、煩わしさがなくなる。
【００２１】
捜索終えたブロックを鉛筆等で塗りつぶすし、そのブロック数とブロックの広さに相当する面積５を掛け合わせることにより、大まかな捜索面積を出すことができる。
【００２２】
ナビゲーションシートの素材は、表面をマット加工した半透明樹種が適している。表面に鉛筆で緯度経度値や必要事項が書き込めるので、書き込んだ状態でコピーすることにより、これらの情報を正しく伝えることが出来る。
【００２３】
本考案ナビゲーションシートの中央部の穴１０は、1／２５０００地形図にＧＰＳ等の緯度経度値をプロットする場合、実用新案登録３０５５４６５の緯度経度定規のプロット方式で正確にプロットできる。実用新案登録の３０５５４６５緯度経度定規は、ＧＰＳ等からの緯度経度数値データの内、緯度の秒値を定規目盛起点より縦に目盛を数えてしるしを付ける。また、経度の秒値を定規起点より横に目盛を数えてしるしを付ける。次に、地図に１分間隔の緯度経度線を引き、該当するＧＰＳ等からの緯度経度数値データの該当分線に、先に定規の各目盛にしるしを付けた位置を重ね合わせることで、定規の目盛起点の小さな穴位置が求める位置となり、ＧＰＳ等からの緯度経度数値データを正確に地図上にプロットできる。
【図面の簡単な説明】
【００２４】
【図１】本考案のナビゲーションシート
【図２】本考案のナビゲーションシートを１／２５０００地形図に重ね合わせてコピーしてできた検索地図
【符号の説明】
【００２５】
１  透明樹脂シート
２  第一所定間隔の1分緯度線
３  第一所定間隔の1分緯度線
４  第一所定間隔の1分緯度線
５  小ブロック面積表示
６  第二所定間隔の１分経度線
７  第二所定間隔の１分経度線
８  第二所定間隔の１分経度線
９  第一区分線と第二区分線で構成されたブロック区別符号
１０  小さな穴
１１  第六所定間隔の経度目盛
１２  第五所定間隔の緯度目盛
１３  第三所定間隔の１０秒緯度線
１４  第四所定間隔の１０秒経度線
１５  第三所定間隔と第四所定間隔の１０秒緯度経度線で構成された小ブロック数字
１６  縮尺目盛
１７  １／２５０００地形図
イ  地図１分間隔緯度線
ロ  地図１分間隔緯度線
ハ  地図１分間隔緯度線
ニ  地図１分間隔経度線
ホ  地図１分間隔経度線
ヘ  地図１分間隔経度線
【図１】
0003137921.tif 000003
【図２】
0003137921.tif 000004